(57)【要約】【課題】録画装置などの内部時計の時刻の自動修正をおこなうこと。【解決手段】時報放送を受信して時刻を修正する電子機器に接続される時刻修正装置において、時刻データを取得する時刻データ取得部１０１と、前記時刻データ取得部１０１によって取得された時刻データに基づいて時刻を修正する時刻修正部１０２と、前記時刻修正部１０２によって修正された時刻データに基づいて時刻を計時する計時部１０３と、時報音声信号を放送電波形式に変調した放送電波信号を記憶する記憶部１０６と、前記記憶部１０６に記憶された放送電波信号を、前記計時部１０３によって計時された時刻に基づいて出力する出力部１０７と、を備える。【選択図】        図１
2006138824.tif 000002
【特許請求の範囲】
【請求項１】
時報放送を受信して時刻を修正する電子機器に接続される時刻修正装置において、
時刻データを取得する時刻データ取得手段と、
前記時刻データ取得手段によって取得された時刻データに基づいて時刻を修正する時刻修正手段と、
前記時刻修正手段によって修正された時刻データに基づいて時刻を計時する計時手段と、
時報音声信号を放送電波形式に変調した放送電波信号を記憶する記憶手段と、
前記記憶手段に記憶された放送電波信号を、前記計時手段によって計時された時刻に基づいて出力する出力手段と、
を備えることを特徴とする時刻修正装置。
【請求項２】
時報音声信号を生成する音声信号生成手段と、
前記音声信号生成手段によって生成された時報音声信号を放送電波形式に変調し放送電波信号を出力する音声信号変調手段と、
を備え、
前記記憶手段は、前記音声信号変調手段によって出力された放送電波信号を記憶することを特徴とする請求項１に記載の時刻修正装置。
【請求項３】
請求項１または２に記載の前記時刻修正装置を内蔵することを特徴とする電子機器。
【請求項４】
時報放送を受信して時刻を修正する電子機器に接続される時刻修正装置の時刻修正方法において、
時刻データを取得する時刻データ取得工程と、
前記時刻データ取得工程によって取得された時刻データに基づいて時刻を修正する時刻修正工程と、
前記時刻修正工程によって修正された時刻データに基づいて時刻を計時する計時工程と、
時報音声信号を放送電波形式に変調した放送電波信号を記憶する記憶工程と、
前記記憶工程に記憶された放送電波信号を、前記計時工程によって計時された時刻に基づいて出力する出力工程と、
を含むことを特徴とする時刻修正方法。
【請求項５】
時報音声信号を生成する音声信号生成工程と、
前記音声信号生成工程によって生成された時報音声信号を放送電波形式に変調し放送電波信号を出力する音声信号変調工程と、
を含み、
前記記憶工程は、前記音声信号変調工程によって出力された放送電波信号を記憶することを特徴とする請求項４に記載の時刻修正方法。
【請求項６】
請求項４または５に記載の時刻修正方法をコンピュータに実行させることを特徴とする時刻修正プログラム。
【発明の詳細な説明】
【技術分野】
【０００１】
この発明は、時刻の自動修正をおこなう機器に接続される時刻修正装置、電子機器、時刻修正方法および時刻修正プログラムに関する。ただし、本発明の利用は、上述の時刻修正装置、電子機器、時刻修正方法および時刻修正プログラムに限られない。
【背景技術】
【０００２】
従来、電子機器、具体的には、ビデオ録画装置、ＤＶＤ録画装置、ＨＤ録画装置などの録画装置や録音装置（以下「録画装置」という）が内蔵している内部時計の時刻の修正には、たとえば、１日に３回（７：００、１２：００、１９：００）放送されているＮＨＫ（登録商標）教育放送の時報音を受信し、その時報音に基づいて内部時計の時刻を自動的に修正していた（たとえば、下記特許文献１参照。）。
【０００３】
【特許文献１】特開平０８−２１２６２１号公報
【発明の開示】
【発明が解決しようとする課題】
【０００４】
しかしながら、現在放送されている地上波アナログ放送は、西暦２０１１年に放送が終了する予定であるため、現在の時刻の自動修正機能は使用できなくなることが予想される。録画装置の内部時計の時刻がずれることによって、自動録画を正確な時刻から始められなくなってしまう。そのため、自動録画を正確におこなわせるためには、内部時計の時刻の修正を手動によって頻繁におこなわなければならず、その操作が煩雑になるという問題点がある。
【０００５】
また、地上波アナログ放送終了後はデジタル放送により時刻の自動修正をおこなうことも考えられるが、デジタル放送はデータのエンコードおよびデコード処理をするために、実際の時刻からは数秒程度（最大４秒）の遅れが発生し、内部時計を正確な時刻に修正できず、自動録画を正確な時刻から始められないという問題点がある。
【課題を解決するための手段】
【０００６】
上述した課題を解決し、目的を達成するため、請求項１の発明にかかる時刻修正装置は、時報放送を受信して時刻を修正する電子機器に接続される時刻修正装置において、時刻データを取得する時刻データ取得手段と、前記時刻データ取得手段によって取得された時刻データに基づいて時刻を修正する時刻修正手段と、前記時刻修正手段によって修正された時刻データに基づいて時刻を計時する計時手段と、時報音声信号を放送電波形式に変調した放送電波信号を記憶する記憶手段と、前記記憶手段に記憶された放送電波信号を、前記計時手段によって計時された時刻に基づいて出力する出力手段と、を備えることを特徴とする。
【０００７】
また、請求項３の発明にかかる電子機器は、請求項１または２に記載の前記時刻修正装置を内蔵することを特徴とする。
【０００８】
また、請求項４の発明にかかる時刻修正方法は、時報放送を受信して時刻を修正する電子機器に接続される時刻修正装置の時刻修正方法において、時刻データを取得する時刻データ取得工程と、前記時刻データ取得工程によって取得された時刻データに基づいて時刻を修正する時刻修正工程と、前記時刻修正工程によって修正された時刻データに基づいて時刻を計時する計時工程と、時報音声信号を放送電波形式に変調した放送電波信号を記憶する記憶工程と、前記記憶工程に記憶された放送電波信号を、前記計時工程によって計時された時刻に基づいて出力する出力工程と、を含むことを特徴とする。
【０００９】
また、請求項６の発明にかかる時刻修正プログラムは、請求項４または５に記載の時刻修正方法をコンピュータに実行させることを特徴とする。
【発明を実施するための最良の形態】
【００１０】
以下に添付図面を参照して、この発明にかかる時刻修正装置、電子機器、時刻修正方法および時刻修正プログラムの好適な実施の形態を詳細に説明する。
【００１１】
（実施の形態）
（時刻修正装置の機能的構成）
まず、本発明の実施の形態にかかる時刻修正装置の機能的構成について説明する。図１は、本発明の実施の形態にかかる時刻修正装置の機能的構成の一例を示すブロック図である。図１において、時刻修正装置は、時刻データ取得部１０１と、時刻修正部１０２と、計時部１０３と、音声信号生成部１０４と、音声信号変調部１０５と、記憶部１０６と、出力部１０７と、により構成されている。
【００１２】
時刻データ取得部１０１は、時刻データを含む電波を受信することによって時刻データを取得する。また、ネットワークを通じて時刻データを取得してもよい。取得する時刻データは、西暦、年月日、曜日、時間、分、秒のすべてであってもよく、そのうち時刻修正に必要な一部のデータのみであってもよい。また、取得する時刻データは、これらに限られない。
【００１３】
時刻データを取得する手段としては、標準電波、ＧＰＳ（Ｇｌｏｂａｌ  Ｐｏｓｉｔｉｏｎｉｎｇ  Ｓｙｓｔｅｍ）衛星が発する電波を受信して取得する。また、携帯電話などの無線通信に使われるＣＤＭＡ（Ｃｏｄｅ  Ｄｉｖｉｓｉｏｎ  Ｍｕｌｔｉｐｌｅ  Ａｃｃｅｓｓ）方式の利用、あるいは電気通信回線を通じてＮＴＰ（Ｎｅｔｗｏｒｋ  Ｔｉｍｅ  Ｐｒｏｔｏｃｏｌ）サーバに接続して取得してもよい。さらに、ユーザが時刻データを直接入力するようにしてもよい。
【００１４】
ＣＤＭＡ方式を利用する場合は、ＣＤＭＡ基地局から発せられる信号を受信し、受信した信号から時刻データを取得する。
【００１５】
また、ＮＴＰとは、コンピュータの内部時計をネットワークを介して正しく調整するプロトコルのことをいう。ＮＴＰは階層構造を持ち、最上位のサーバが正確な時計から時刻を取得し、下位のホストはそれを参照することで時刻を合わせる。コンピュータでＮＴＰソフトウェアを起動して上位ＮＴＰサーバに接続すると、コンピュータに搭載された時計の遅れ具合や上位ＮＴＰサーバとのネットワーク通信の遅延、あるいはそれらのばらつき具合を継続的に計測し、受け取った時刻データを補正して自動的に時刻の設定をおこなう。こうしたソフトウェアを常時起動しておくことによって、ＮＴＰサーバから時刻データを定期的に受信してコンピュータの時計を正確に保つことができる。また、ＮＴＰでは、複数のサーバへ時刻を問い合わせることが可能であり、これにより時刻の精度の向上が期待できる。
【００１６】
時刻修正部１０２は、時刻データ取得部１０１によって取得された時刻データに基づいて計時部１０３の時刻を修正する。計時部１０３は、内部クロックを計数して、現在の時刻を計時する。
【００１７】
音声信号生成部１０４は、放送電波に含まれるＮＨＫ（登録商標）教育放送の時報音に相当する時報音声信号を生成する。時報音は４４０Ｈｚの正弦波が０．１秒、無音状態が０．９秒、これを３回繰り返し、続いて８８０Ｈｚの正弦波が約３秒送信される。音声信号は音の強弱を振幅によって表現し、音の高低を周波数によって表現する。録画装置はこの時報音の周波数と時間間隔を監視して、８８０Ｈｚの信号を検出した時点で内部時計のセットをおこなうのが一般的な方法であるが、８８０Ｈｚの信号のみの受信では時刻の自動修正はおこなわない場合がある。
【００１８】
しかし、時刻の修正をおこなう録画装置はＮＨＫ（登録商標）教育放送を強制的に受信しており、この録画装置が使用されている間に時刻の修正の動作を開始すると、不具合が発生する場合がある。そのため、時刻の修正は録画装置の電源が切れている場合におこなっており、電源が入っている場合には時刻の修正をおこなっていない。
【００１９】
音声信号変調部１０５は、音声信号生成部１０４によって生成された時報音声信号をＮＨＫ（登録商標）教育放送に相当する放送電波信号に変調する。また、ＮＨＫ（登録商標）教育放送の時報放送チャンネルは地域によって異なるため、出力する放送電波信号を複数の放送チャンネルに切り換えることができるようにしてもよい。複数の放送チャンネル出力を切り換えて使用することができれば、ＮＨＫ（登録商標）教育放送の放送チャンネルが異なる地域でも、本発明にかかる時刻修正装置を利用することができる。
【００２０】
記憶部１０６は、音声信号変調部１０５によって変調された放送電波信号を記憶する。放送電波信号は、あらかじめ記憶部１０６に記憶されていてもよいし、また、たとえば出力したい放送チャンネルの放送電波信号が記憶されていなければ、その都度新たに放送電波信号を記憶してもよい。
【００２１】
出力部１０７は、記憶部１０６に記憶された放送電波信号を録画装置へ出力する。録画装置へ出力する時刻は、ユーザが設定することができる。放送電波信号を出力する時刻は、たとえば１日に１回１２：００に出力するように設定してもよいし、また、１日に複数回出力するように設定してもよい。
【００２２】
録画装置の電源がオンになっている場合には、時刻の自動修正をおこなわないため、たとえば１９：００に番組を録画する場合に、その時間に録画装置を頻繁に利用するのであれば、あえて１９：００には放送電波信号を出力しないで、１日に２回、７：００と１２：００に出力するように設定してもよい。設定された時刻になったら、具体的には７：００の３秒前（６：５９の５７秒）から『ピッ（４４０Ｈｚ）』（５７秒）、『ピッ（４４０Ｈｚ）』（５８秒）、『ピッ（４４０Ｈｚ）』（５９秒）、『ポー（８８０Ｈｚ）』（０秒）という音声となるように放送電波信号を録画装置へ出力する。録画装置は、出力された放送電波信号を受信し、これに含まれる時報音声信号に基づいて録画装置の内部時計を修正する。
【００２３】
（時刻修正装置の処理の手順）
つぎに、実施の形態にかかる時刻修正装置の処理手順について説明する。図２−１および図２−２は、本発明の実施の形態にかかる時刻修正装置の処理手順を説明するフローチャートである。図２−１のフローチャートにおいて、まず音声信号生成部１０４によって、放送電波に含まれるＮＨＫ（登録商標）教育放送の時報音に相当する時報音声信号を生成する（ステップＳ２０１）。そして、音声信号変調部１０５によって、生成した時報音声信号をＮＨＫ（登録商標）教育放送に相当する放送電波形式に変調し（ステップＳ２０２）、変調した放送電波信号を記憶部１０６に記憶し（ステップＳ２０３）、一連の処理を終了する。
【００２４】
つぎに、図２−２のフローチャートにおいて、まず時刻データ取得部１０１は、時刻データを取得する（ステップＳ２０４）。時刻修正部１０２は、取得した時刻データに基づいて計時部１０３の時刻を修正する（ステップＳ２０５）。そして、ユーザによって設定された放送電波信号を出力する時刻になるのを待ち（ステップＳ２０６）、その時刻になったら（ステップＳ２０６：Ｙｅｓ）、記憶部１０６に記憶されている放送電波信号を出力部１０７によって出力して（ステップＳ２０７）、一連の処理を終了する。
【実施例】
【００２５】
（実施例のハードウェアの構成）
つぎに、本発明の実施例にかかる時刻修正装置の内容について説明する。図３は、本発明の実施例にかかる時刻修正装置のハードウェア構成の一例を示すブロック図である。
【００２６】
図３において、時刻修正装置は、ＣＰＵ３０１と、ＲＯＭ３０２と、ＲＡＭ３０３と、ＨＤ（ハードディスク）３０４と、画像Ｉ／Ｆ（インターフェース）３０５と、ディスプレイ３０６と、入力Ｉ／Ｆ（インターフェース）３０７と、ユーザ操作部３０８と、Ｉ／Ｆ（インターフェース）３０９と、により構成されている。また、各構成部３０１〜３０９は、バス３１０によって接続されている。
【００２７】
ここで、ＣＰＵ３０１は、時刻修正装置の全体を制御する。ＲＯＭ３０２は、時刻修正装置の基本処理プログラムを記憶している。ＲＡＭ３０３は、ＣＰＵ３０１のワークエリアとして使用される。ＨＤ３０４は、各種情報を記憶する。また、ＨＤ３０４は、ＤＶＤ、ＣＤ、ＭＯ、メモリカードなどの着脱可能な記憶媒体であってもよい。
【００２８】
また、画像Ｉ／Ｆ３０５は、画像表示用のディスプレイ３０６に接続される。ディスプレイ３０６には、アイコン、カーソル、メニューあるいは文字や画像などの各種データが表示される。このディスプレイ３０６には、たとえばＣＲＴ、ＴＦＴ液晶ディスプレイ、プラズマディスプレイ、有機ＥＬディスプレイなどを採用することができる。
【００２９】
また、入力Ｉ／Ｆ３０７は、ユーザ操作部３０８から送信されてくるデータを入力する。ユーザ操作部３０８は、たとえばリモコン、タッチパネル、時刻修正装置に備え付けられたボタンなどによって、その機能を実現する。
【００３０】
Ｉ／Ｆ３０９は、外部の通信装置と無線あるいは電気通信回線を通じてデータ通信をおこなう。また、本実施例においては録画装置のアンテナ端子と接続して、録画装置へ放送電波信号の送信をおこなう。
【００３１】
（実施例の時刻修正装置の機能的構成）
つぎに、この実施例の時刻修正装置の機能的構成について、図４を用いて説明する。図４は、本発明の実施例にかかる時刻修正装置の機能的構成の一例を示すブロック図である。この実施例の時刻修正装置４００は、アンテナ４０１と、受信部４０２と、制御部４０３と、計時部４０４と、音源部４０５と、増幅部４０６と、音声信号変調部４０７と、メモリ４０８と、出力端子４０９と、入力部４１０と、表示部４１１と、電源部４１２と、により構成されている。また、時刻修正装置４００には録画装置４１３が接続されている。
【００３２】
アンテナ４０１は、時刻データの含まれている電波を受信する。この時刻データの含まれている電波は、アンテナ４０１を通して受信部４０２へ送られ増幅される。ここで、時刻データとは、西暦、年月日、曜日、時間、分、秒のすべてであってもよく、そのうち時刻修正に必要な一部のデータのみであってもよい。また、取得する時刻データは、これらに限られない。
【００３３】
時刻データは標準電波、ＧＰＳ衛星が発する電波を受信する。また、携帯電話などの無線通信に使われるＣＤＭＡ方式の利用、あるいは電気通信回線を通じてＮＴＰサーバに接続して時刻データを取得してもよい。さらに、ユーザが時刻データを直接入力してもよい。
【００３４】
制御部４０３は、計時部４０４、表示部４１１、電源部４１２の制御をおこなう。具体的には、制御部４０３は、受信した時刻データに基づいて計時部４０４の時刻を修正する。また、制御部４０４は、表示部４１１に表示する情報を指示する。また、制御部４０４は、電源部４１２の電源のオン、オフの切り換えをおこなう。
【００３５】
計時部４０４は、内部クロックを計数して現在の時刻を計時する。音源部４０５は、時報音声信号を発生させる。そして、音源部４０５によって生成された時報音声信号は、増幅部４０６によって適当なレベルの信号に増幅されて音声信号変調部４０７へ出力される。
【００３６】
音声信号変調部４０７は、時報音声信号をＮＨＫ（登録商標）教育放送に相当する放送電波信号に変調する。ＮＨＫ（登録商標）教育放送の時報放送チャンネルは地域によって異なるため、出力する放送電波信号を複数の放送チャンネルに切り換えて出力することができるようにしてもよい。このように、複数の放送チャンネル出力に切り換えて使用することができれば、各地域で本発明にかかる時刻修正装置を利用することができる。
【００３７】
メモリ４０８は、音声信号変調部４０７によって変調された放送電波信号を記憶する。放送電波信号は、あらかじめメモリ４０８に記憶されていてもよいし、また、たとえば出力したい放送チャンネルの放送電波信号が記憶されていなければ、その都度新たに放送電波信号を記憶してもよい。
【００３８】
出力端子４０９は、ユーザによって設定された放送電波信号を出力する時刻になったら、メモリ４０８に記憶された放送電波信号を録画装置４１３へ出力する。録画装置４１３はこの放送電波信号を受信して、それに含まれる時報音声信号に基づいて内部時計を修正する。
【００３９】
入力部４１０は、時刻データの入力、表示部４１１の表示画面の切り換えあるいは表示する時刻データの選択に関する入力を受け付ける。時刻データを入力する場合とは、たとえば電気通信回線の不調のため、あるいは電波の受信状態が悪いなどの事情により時刻データが取得できない場合に直接入力することが必要となる。
【００４０】
表示部４１１は、ユーザによって選択された時刻データを表示する。具体的には、たとえば受信した時刻データのうち西暦、年月日、曜日、時間、分、秒のすべてを表示してもよいし、それらの一部を表示してもよい。また、表示する時刻は上述したものに限られない。表示部４１１には、ＣＲＴ、ＴＦＴ液晶ディスプレイ、プラズマディスプレイ、有機ＥＬディスプレイなどの表示画面とすることができる。
【００４１】
上述したように、表示部４１１に時刻データを表示して録画装置４１３と本発明にかかる時刻修正装置４００を並べて設置すれば、録画装置４１３に表示されている時刻が正確であるかを瞬時に確認することができる。また、表示部４１１には放送電波信号を出力した旨あるいは出力した時刻を表示してもよい。このように表示をすれば、本装置が正常に作動しているか確認をすることができる。
【００４２】
電源部４１２は、時刻修正装置４００の電源のオン、オフの切り換えをおこなう。電源は常時オンになっている必要はなく、通常はオフであってもよい。ユーザが設定した放送電波信号を出力する時刻が近づいたら自動的に電源をオンに切り換えるようにしてもよい。このとき、電源をオンに切り換えるタイミングは、時報音声信号を発生させてから放送電波信号を出力するまでの時間と電源を立ち上げる時間を考慮した時間に、少し余裕を持たせた時間（たとえば時報音声信号を発生させる３分前）とすればよい。その後、時報音声信号を発生し放送電波信号の出力が終了したら、自動的に電源をオフに切り換えるようにしてもよい。このような方法をとれば、無駄に電気を消費せずに時刻修正装置４００を使用することができる。
【００４３】
つぎに、上述した時刻修正装置４００の各構成部を実現する構成を図１の時刻修正装置および図３で示したハードウェア構成に対応付けて説明する。アンテナ４０１および出力端子４０９は、Ｉ／Ｆ３０９によって実現される。また、アンテナ４０１、受信部４０２および入力部４１０は、図１で示した時刻データ取得部１０１に相当する。
【００４４】
制御部４０３は、図３で示したＲＯＭ３０２、ＲＡＭ３０３およびＨＤ３０４などの記憶媒体に記録されたプログラムを、ＣＰＵ３０１、ＲＯＭ３０２およびＲＡＭ３０３で実行することによってその機能を実現する。また、制御部４０３は、図１で示した時刻修正部１０２に相当する。
【００４５】
音源部４０５と増幅部４０６は、音声信号生成部１０４に相当する。メモリ４０８は、図３で示したＲＯＭ３０２、ＲＡＭ３０３およびＨＤ３０４などによって実現される。また、入力部４１０は、入力Ｉ／Ｆ３０７およびユーザ操作部３０８によって実現される。表示部４１１は、画像Ｉ／Ｆ３０５およびディスプレイ３０６によって実現される。
【００４６】
（実施例の時刻修正装置の処理手順）
つぎに、実施例の時刻修正装置の処理手順について説明する。図５−１および図５−２は、本発明の実施例にかかる時刻修正装置の処理手順の一例を説明するフローチャートである。図５−１のフローチャートにおいて、まず、音源部４０５は、時報音声信号を生成させ（ステップＳ５０１）、この時報音声信号を増幅部４０６で適当なレベルに増幅させる（ステップＳ５０２）。音声信号変調部４０７は、時報音声信号をＮＨＫ（登録商標）教育放送に相当する放送電波信号に変調し（ステップＳ５０３）、変調した放送電波信号をメモリ４０８に記憶して（ステップＳ５０４）、一連の処理を終了する。
【００４７】
つぎに、図５−２のフローチャートにおいて、受信部４０２は、アンテナ４０１を通して時刻データを取得し（ステップＳ５０５）、取得した時刻データに基づいて計時部４０４の時刻を修正する（ステップＳ５０６）。そして、あらかじめ設定された放送電波信号を出力する時刻が近づいていなければ（ステップＳ５０７：Ｎｏ）、ステップＳ５０５に戻る。放送電波信号を出力する時刻が近づいたら（ステップＳ５０７：Ｙｅｓ）、時刻修正装置４００の電源をオンにする（ステップＳ５０８）。そして、放送電波信号を出力する時刻になるのを待ち（ステップＳ５０９）、その時刻になったら（ステップＳ５０９：Ｙｅｓ）、メモリ４０８に記憶された放送電波信号を出力する（ステップＳ５１０）。
【００４８】
そして、録画装置４１３は、出力された放送電波信号を受信して（ステップＳ５１１）、受信した放送電波信号に含まれる時報音声信号に基づいて録画装置４１３の内部時計の時刻を修正する（ステップＳ５１２）。放送電波信号を出力した時刻修正装置４００は、電源をオフに切り換えて（ステップＳ５１３）、一連の処理を終了する。
【００４９】
また、上述した実施の形態および実施例では、本発明にかかる時刻修正装置と録画装置を接続して使用することを想定しているが、時刻修正装置に接続され時刻の自動修正をおこなう装置は録画装置に限られない。たとえば、ラジオ放送レコーダやカーステレオなど、時報音を受信して時刻の自動修正をおこなうすべての装置と接続して使用することができる。
【００５０】
（時刻修正装置の実装例）
図６は、本発明の時刻修正装置４００と録画装置４１３の使用方法の一例を示す斜視図である。図６において、時刻修正装置４００の表示画面６０１には時刻がデジタル表示されており、「６：１３（ＰＭ）」を示している。また、表示画面６０１には時間、分のみが表示されているが、西暦、年月日、曜日、時間、分、秒のすべてを表示してもよく、それらの一部を表示してもよい。時刻の表示は見やすさあるいはユーザの好みを考慮して、２４時間表示としてもよく、また、アナログ時計の表示としてもよい。
【００５１】
また、図６に示すように、時刻修正装置４００と録画装置４１３を並べて設置し両装置に時刻を表示すれば、録画装置４１３の表示画面６０２に表示されている時刻が正確であるかを瞬時に確認することができる。また、実際に録画あるいは再生をしている間は、録画装置４１３の表示画面６０２には通常時刻は表示されない。録画装置４１３の再生中の場合の図は省略するが、時刻修正装置４００と録画装置４１３を並べて設置することによって、時刻修正装置４００の表示画面６０１に表示された時刻と録画装置４１３の表示画面６０２に表示された録画時間あるいは再生時間を同時に確認することができる。
【００５２】
通常、録画装置４１３は誤差がある一定の時間以内（たとえば、誤差が２分以内）の場合に時刻の修正をおこない、時報が放送された時刻と録画装置４１３の内部時計の示す時刻の誤差が大きい場合（たとえば、誤差が１０分）には時刻の修正はおこなわない。具体的には、たとえば１２：００の時報の放送がされたときに、録画装置４１３の時計が１２：１０を示しているときには、修正はおこなわれない。このように時刻の誤差が大きいため時刻の自動修正がおこなわれない場合には、一度正確な時刻データを直接入力して時刻を修正する必要がある。
【００５３】
また、録画装置４１３の電源コードを抜いた場合あるいは停電した場合には時刻はリセットされ、図示は省略するが、録画装置４１３の表示画面６０２には、００：００が点滅して表示される場合がある。この状態では時刻の自動修正機能は作動していないため、時刻データを直接入力して修正する必要がある。上述したように、時刻修正装置４００の表示画面６０１に時刻データを表示し録画装置４１３と並べて設置すれば、録画装置４１３の時刻が瞬時に確認でき、さらに録画装置４１３に時刻データを直接入力して修正する場合にも、時刻修正装置４００の時刻を参照して時刻データの入力を容易におこなうことができる。
【００５４】
また、図６に示すように時刻修正装置４００の表示画面６０１の下にボタン６０３を取り付けてもよい。このように、ボタン６０３を取り付ければ、時刻データを入力したりあるいは画面の切り換えなどの操作をおこなうことができる。また、これらの操作はボタン６０３による操作以外にも、図示しないリモコンあるいはタッチパネルなどにより代用することもできる。
【００５５】
上述した例は、時刻修正装置４００と録画装置４１３とを並べて設置した場合であるが、時刻修正装置４００を録画装置４１３の筐体内に内蔵させるようにしてもよく、その際、電源も共通化するとよい。録画装置４１３に内蔵させることによって、録画装置４１３の筐体と一体化することができ、録画装置４１３の収納や移動の際に便利である。このように、空いているスペースや時刻修正装置４００の大きさなどを考慮して設置すればよい。ただし、時刻データを電波あるいは無線ＬＡＮ（Ｌｏｃａｌ  Ａｒｅａ  Ｎｅｔｗｏｒｋ）を通じてネットワークなどにより取得する場合には、電波の受信感度をよくするためにアンテナを取り付けたりあるいは電波の受信感度がよい場所に設置するとよい。
【００５６】
たとえば、標準電波は長波であるため、鉄筋コンクリートなどの室内では受信感度が落ちてしまう。そのため、標準電波あるいはＧＰＳ衛星が発する電波によって時刻データを取得する場合には、受信感度をよくするために簡単に接続することのできる延長用アンテナを接続するとよい。さらに、長波はノイズに弱いため、装置にノイズ防止フィルターを内蔵させたり、時刻修正装置４００を窓際に設置して同軸ケーブルを用いて放送電波信号を録画装置４１３へ送るようにしてもよい。
【００５７】
図７は、時刻修正装置４００と録画装置４１３の接続方法の一例を示す図である。図７に示すように、時刻修正装置４００の背面の出力端子４０９と録画装置４１３のアンテナ端子７０１とがケーブル７０２によって接続されている。この接続には、録画装置４１３の使用していないアンテナ端子を利用することができる。また、図７では時刻修正装置４００の出力端子４０９は一つであるが、出力端子の数は複数であってもよい。時刻修正装置４００が出力端子を複数有していれば、一つの時刻修正装置４００に複数の録画装置を接続して時刻の自動修正を同時におこなうことができる。
【００５８】
また、時刻修正装置４００は設置や取りはずしが容易であるため、接続している録画装置４１３などから取りはずし、別の録画装置に接続してその録画装置の時刻の修正をおこなうことも可能である。
【００５９】
上述した例では、本発明にかかる時刻修正装置４００と録画装置４１３を接続して使用することを想定しているが、接続される機器は録画装置に限られない。たとえば、ラジオ放送レコーダやカーステレオなど、時報音を受信して時刻の自動修正をおこなうすべての装置と本発明の時刻修正装置を接続して使用することができる。
【００６０】
また、上述した実施の形態および実施例では、本発明にかかる時刻修正装置を地上波アナログ放送の終了後に時刻の自動修正をおこなうことを想定しているが、地上波アナログ放送が終了する前に使用してもよい。ＮＨＫ（登録商標）教育放送の番組の構成によっては、１日に時報放送が１回も放送されないこともあり、また、放送されていても録画装置が使用中であれば、時刻の修正をおこなわない。このように、時刻の自動修正が長期間おこなわれなければ、時刻の誤差はだんだん大きくなる。その誤差が大きくなると、時報が放送されても時刻の誤差が大きいために時刻の修正をおこなわない場合も生じる。このような場合に本発明にかかる時刻修正装置を使用するのが有効である。
【００６１】
以上説明したように、時刻修正装置、電子機器、時刻修正方法および時刻修正プログラムによれば、時刻の自動修正をおこなう録画装置の時刻を自動的に修正することができる。また、ＮＨＫ（登録商標）教育放送の時報音に相当する時報音声信号を生成できるため、地上波アナログ放送が終了したあとでも、時報音を受信しその時報音に基づいて時刻の修正をおこなっている録画装置などの時刻を自動的に修正することができる。そのため、地上波アナログ放送が終了する前と同じように録画装置を使用することができ、地上波アナログ放送が終了する前に使用していた録画装置をそのまま使用することができる。
【００６２】
なお、本実施の形態における電子機器は主に録画装置として説明したが、それに限定されるものではなく、その他の電子機器、たとえばテレビ受像機などのＡＶ機器や、たとえば電子レンジなどの家電機器や、自動車、パソコンなどを含んでいてもよい。
【００６３】
また、本実施の形態で説明した時刻修正方法は、あらかじめ用意されたプログラムをパーソナル・コンピュータやワークステーションなどのコンピュータで実行することにより実現することができる。このプログラムは、ハードディスク、フレキシブルディスク、ＣＤ−ＲＯＭ、ＭＯ、ＤＶＤなどのコンピュータで読み取り可能な記録媒体に記録され、コンピュータによって記録媒体から読み出されることによって実行される。またこのプログラムは、インターネットなどのネットワークを介して配布することが可能な伝送媒体であってもよい。
【図面の簡単な説明】
【００６４】
【図１】本発明の実施の形態にかかる時刻修正装置の機能的構成の一例を示すブロック図である。
【図２−１】本発明の実施の形態にかかる時刻修正装置の処理手順を説明するフローチャート（その１）である。
【図２−２】本発明の実施の形態にかかる時刻修正装置の処理手順を説明するフローチャート（その２）である。
【図３】本発明の実施例にかかる時刻修正装置のハードウェア構成の一例を示すブロック図である。
【図４】本発明の実施例にかかる時刻修正装置の機能的構成の一例を示すブロック図である。
【図５−１】本発明の実施例にかかる時刻修正装置の処理手順の一例を説明するフローチャート（その１）である。
【図５−２】本発明の実施例にかかる時刻修正装置の処理手順の一例を説明するフローチャート（その２）である。
【図６】本発明の時刻修正装置４００と録画装置４１３の使用方法の一例を示す斜視図である。
【図７】時刻修正装置４００と録画装置４１３の接続方法の一例を示す図である。
【符号の説明】
【００６５】
１０１  時刻データ取得部
１０２  時刻修正部
１０３  計時部
１０４  音声信号生成部
１０５  音声信号変調部
１０６  記憶部
１０７  出力部
４００  時刻修正装置
４０１  アンテナ
４０２  受信部
４０３  制御部
４０４  計時部
４０５  音源部
４０６  増幅部
４０７  音声信号変調部
４０８  メモリ
４０９  出力端子
４１０  入力部
４１１  表示部
４１２  電源部
４１３  録画装置
【図１】
2006138824.tif 000003
【図２−１】
2006138824.tif 000004
【図２−２】
2006138824.tif 000005
【図３】
2006138824.tif 000006
【図４】
2006138824.tif 000007
【図５−１】
2006138824.tif 000008
【図５−２】
2006138824.tif 000009
【図６】
2006138824.tif 000010
【図７】
2006138824.tif 000011